(57)【要約】【課題】  種々の使用者に対する調整を容易に行うことができ、また、初心者であっても種々の運動動作を容易に実施することができる健康器具を提供する。【解決手段】  両脚部１１の長手方向の中途位置には、使用者の腕の肘部を含みその近傍部分を支持するための肘受け部６が配設してあり、肘受け部６は両脚部１１間に昇降可能に架設した帯板状の第１支持部材２１によって互いに離隔接近可能に支持されている。両脚部１１の前記第１支持部材２１より天井部１２側の位置には、第２支持部材３２が両脚部１１間に昇降可能に架設してある。第２支持部材３２の正面には、短寸の帯板材を倒立Ｌ字状に成形してなる掛け回し部７が、横長長方形の各頂点の位置になるように固定してあり、両担持部５に上がった使用者はバンドを自身の両肩及び胸部並びに各掛け回し部７に、たすき掛けとなるように掛け回すようになっている。【選択図】  図１
0003220692.tif 000002
【実用新案登録請求の範囲】
【請求項１】
基台上に距離を隔てて互いに平行に立設した２本の棒状の脚部と、両脚部の長手方向へ移動可能に設けられ、使用者の両肘部をそれぞれ受ける２つの肘受け部と、両肘受け部より高い位置であって、両脚部間に脚部の長手方向へ移動可能に架設され、使用者の背部を支持する支持部材とを備えることを特徴とする健康器具。
【請求項２】
前記支持部材には、使用者の胸部を当該支持部材に固定するためのバンドを掛け回す掛け回し部が設けてある請求項１記載の健康器具。
【請求項３】
前記支持部材に４つの掛け回し部がそれぞれ、長方形の各頂点の位置になるように配設してある請求項２記載の健康器具。
【請求項４】
前記掛け回し部は倒立Ｌ字状に成形してなる請求項２又は３記載の健康器具。
【請求項５】
前記肘受け部は半円筒状の部材を横転Ｌ字状に形成してなる請求項１から４のいずれかに記載の健康器具。
【請求項６】
前記肘受け部の屈曲部には使用者の肘を嵌入させる凹部が設けてある請求項５記載の健康器具。
【請求項７】
前記肘受け部は両脚部の長手方向と直交する方向へ移動可能に構成してある請求項１から６のいずれかに記載の健康器具。
【考案の詳細な説明】
【技術分野】
【０００１】
本考案は、ヒトの健康を向上させるための健康器具に関する。
【背景技術】
【０００２】
ヒトの健康を向上させる健康器具が開発されている。
【０００３】
図６は従来の健康器具の使用態様を説明する説明図であり、図中、１１０は外フレーム部材である。外フレーム部材１１０は、側面視がコ字状の２本の基体フレーム部材１１１，１１１を互いに距離を隔てて平行に配し、両基体フレーム部材１１１，１１１の先端を連結用フレーム部材１１２，１１２にて連結してなり、更に、両基体フレーム部材１１１，１１１の先端部であって、連結用フレーム部材１１２，１１２から少し距離を隔てた位置に縦フレーム部材１１４，１１４を介装させて構成してある。
【０００４】
基体フレーム部材１１１，１１１を構成する支柱フレーム部１１１ｂ，１１１ｂと前記縦フレーム部材１１４，１１４との間には横フレーム部材１１３，１１３が、基体フレーム部材１１１，１１１を構成する天井フレーム部１１１ｃ，１１１ｃ及び底フレーム部１１１ａ，１１１ａと平行な姿勢で介装してあり、両横フレーム部材１１３，１１３の長手方向の略中央位置上には、使用者の肘部を支持する短冊板状の肘用支持部１１６，１１６が固着してある。
【０００５】
前記両支柱フレーム部１１１ｂ，１１１ｂの前記横フレーム部材１１３の高さ位置と略同じ高さ位置には、図示しない突起部が設けてあり、両突起部にそれぞれ掛け回した腰用バンドによって使用者の腰部を受ける腰受け部（共に図示せず）が支持されている。また、両支柱フレーム部１１１ｂ，１１１ｂの前記底フレーム部１１１ａ，１１１ａより少し高い位置にはそれぞれ、使用者Ｍの足を担持する平板状の担持部１２０，１２０が固定してある。
【０００６】
一方、両支柱フレーム部１１１ｂ，１１１ｂの前記突起部と略同じ高さ位置にはそれぞれ、背部用フレーム部材１１５，１１５の一端が回動可能に取り付けてある。両背部用フレーム部材１１５，１１５の他端側は天井フレーム部１１１ｃ，１１１ｃの長手方向の略中央位置に介装させた当接用フレーム部１１７に当接するように延設してあり、背部用フレーム部材１１５，１１５の他端部には、２本の連結用フレーム部材１１５ａ，１１５ａを架設して両者を連結してある。一方の連結用フレーム部材１１５ａには引戻し機１４０から引き出されたワイヤ１４１が結合してあり、引戻し機１４０によって背部用フレーム部材１１５，１１５は鉛直方向へ引き戻されるようになっている。
【０００７】
このような健康器具にあっては、使用者Ｍは担持部１２０，１２０に上がり、上半身を背部用フレーム部材１１５，１１５間に位置させた状態で、合成皮革製の帯状の固定具１９０を上半身及び両背部用フレーム部材１１５，１１５に掛け回して、固定具１９０の両端部を互いに結合させることによって、使用者Ｍの上半身を両背部用フレーム部材１１５，１１５に固定する。次に、使用者Ｍは両肘を肘用支持部１１６，１１６上に載置した後、両足を担持部１２０，１２０から脱離させる。そして、使用者Ｍは両肘で自重を支持した状態で、例えば、両脚を前後に動かし、又は腰を回動させる。このとき、使用者の腰部が健康器具の前述した腰受け部によって支持されているため、前述した両脚の運動動作、又は腰の運動動作を比較的円滑に実施することができる。
【先行技術文献】
【特許文献】
【０００８】
【特許文献１】実用新案登録第３１９０４４１号公報
【考案の概要】
【考案が解決しようとする課題】
【０００９】
しかしながら、従来の健康器具にあっては、健康器具の腰受け部の高さ位置の調整が難しく、当該高さ位置が使用者Ｍに適合しない場合、運動動作中に使用者Ｍの臀部が腰受け部上に乗り上げてしまうことがあり、適切な運動動作が阻害される虞があった。また、腰受け部は腰用バンドを介して基体フレーム部材１１１，１１１に取り付けられているため、揺動可能である。このように、前述した両脚の運動動作、又は腰の運動動作等の起点となる部分が揺動可能であるため、かかる運動動作を行う際の力の入れ加減が不安定であり、初心者には適切な運動動作を行うことができない場合があるという問題があった。
【００１０】
本考案は斯かる事情に鑑みてなされたものであって、種々の使用者に対する調整を容易に行うことができ、また、初心者であっても種々の運動動作を容易に実施することができる健康器具を提供する。
【課題を解決するための手段】
【００１１】
（１）本考案に係る健康器具は、基台上に距離を隔てて互いに平行に立設した２本の棒状の脚部と、両脚部の長手方向へ移動可能に設けられ、使用者の両肘部をそれぞれ受ける２つの肘受け部と、両肘受け部より高い位置であって、両脚部間に脚部の長手方向へ移動可能に架設され、使用者の背部を支持する支持部材とを備えることを特徴とする。
【００１２】
本考案の健康器具にあっては、基台上に２本の棒状の脚部が距離を隔てて互いに平行に立設してあり、両脚部にはそれぞれ使用者の両肘部を受ける２つの肘受け部が、両脚部の長手方向へ移動可能に設けられている。そして、両脚部間であって、両脚部の両肘受け部より高い位置には使用者の背部を支持する支持部材が、脚部の長手方向へ移動可能に架設してある。
【００１３】
このような健康器具では、使用者は予め、両肘受け部の高さ位置を自身の両肘の高さ位置になるように、また、支持部材の高さ位置を自身の背部の高さ位置になるように調整しておく。
【００１４】
そして、使用者は、自身の両肘及び前腕を含む両肘部を対応する各肘受け部にそれぞれ嵌入させ、自身の背部を支持部材に当接支持させる。使用者は嵌入させた前腕によって自重を支持した状態で、自身の両脚をぶら下げ、そのままの状態で適宜時間ぶら下がり、又は、ぶら下がった状態で両脚を前後左右に屈伸させ、或は、ぶら下がった状態で腰を正方向若しくは逆方向へ回動させる、等々の種々のぶら下がり運動動作を行う。
【００１５】
このとき、これらぶら下がり運動動作の主たる起点はいずれも、支持部材に当接支持させた使用者の背部であり、支持部材は両脚部に固定されている。そのため、ぶら下がり運動動作の起点にずれ等が発生せず、初心者であっても種々の運動動作を容易に実施することができる。一方、支持部材及び両肘受け部の高さ位置は、容易に調整することができる。
【００１６】
（２）本考案に係る健康器具は、前記支持部材には、使用者の胸部を当該支持部材に固定するためのバンドを掛け回す掛け回し部が設けてあることを特徴とする。
【００１７】
本考案の健康器具にあっては、前述した支持部材には、使用者の胸部を当該支持部材に固定するためのバンドを掛け回す掛け回し部が設けてある。使用者は、前述したように自身の背部を支持部材に当接支持させた状態で、胸部及び掛け回し部にバンドを掛け回して、胸部を支持部材に固定させる。このとき、バンドは面ファスナで構成すると、バンドの両端を当該バンドに容易に固着させることができるため好適である。
【００１８】
そして、使用者は前述した如き種々の運動動作を実施する。このとき、使用者の胸部は２支持部材に固く固定されているため、ぶら下がり運動動作の起点のずれ等が更に防止され、初心者であっても種々の運動動作を容易確実に実施することができる。
【００１９】
（３）本考案に係る健康器具は、前記支持部材に４つの掛け回し部がそれぞれ、長方形の各頂点の位置になるように配設してあることを特徴とする。
【００２０】
本考案の健康器具にあっては、前述した支持部材に４つの掛け回し部がそれぞれ、長方形の各頂点の位置になるように配設してあり、これによって前記バンドを自身の両肩及び胸部並びに各掛け回し部に、たすき掛けとなるように掛け回すことができる。従って、自身の胸部を支持部材により強固に固定することができ、前述した運動動作中に、自身の胸部と支持部材との間にずれが発生することが防止され、運動動作を円滑に実施することができる。
【００２１】
（４）本考案に係る健康器具は、前記掛け回し部は倒立Ｌ字状に成形してなることを特徴とする。
【００２２】
本考案の健康器具にあっては、掛け回し部は倒立Ｌ字状に成形してなるため、前述した掛け回し作業が容易であり、当人だけでも実施することができる。
【００２３】
（５）本考案に係る健康器具は、前記肘受け部は半円筒状の部材を横転Ｌ字状に形成してなることを特徴とする。
【００２４】
本考案の健康器具にあっては、前記肘受け部は半円筒状の部材を横転Ｌ字状に形成してなり、これによって使用者の肘及び前腕に加え使用者の上腕も半円筒状の肘受け部に嵌入拘束される。このように、肘受け部に嵌入された使用者の前腕及び上腕が、ぶら下がり運動動作の従たる起点となるため、初心者であっても種々の運動動作を更に容易に実施することができる。
【００２５】
（６）本考案に係る健康器具は、前記肘受け部の屈曲部には使用者の肘を嵌入させる凹部が設けてあることを特徴とする。
【００２６】
本考案の健康器具にあっては、横転Ｌ字状の肘受け部の屈曲部には、使用者の肘を嵌入させる凹部が設けてあるため、使用者の肘が肘受け部に圧接することが防止され、使用者の肘に損傷が発生することが回避される。
【００２７】
（７）本考案に係る健康器具は、前記肘受け部は両脚部の長手方向と直交する方向へ移動可能に構成してあることを特徴とする。
【００２８】
本考案の健康器具にあっては、前記肘受け部は両脚部の長手方向と直交する方向へ移動可能に構成してあるため、両肘受け部間の寸法を、使用者の体型及びサイズに応じた値に調整することができる。これによって、種々の体型及びサイズの使用者であっても使用することができる。
【図面の簡単な説明】
【００２９】
【図１】本考案に係る健康器具を示す斜視図である。
【図２】図１に示した健康器具の正面図である。
【図３】図１に示した健康器具の側面図である。
【図４】図２及び図３に示した健康器具の使用態様を説明する説明図である。
【図５】図２及び図３に示した健康器具の使用態様を説明する説明図である。
【図６】従来の健康器具の使用態様を説明する説明図である。
【考案を実施するための形態】
【００３０】
本考案に係る健康器具を図面に基づいて詳述する。
なお、本実施の形態で説明する健康器具は、本考案の趣旨を説明する一例であり、本考案はその趣旨を逸脱しない範囲での変形や改造を含むことはいうまでもない。
【００３１】
図１は本考案に係る健康器具を示す斜視図であり、図中、２は当該健康器具を設置する設置面上に載置する平板状の基台である。また、図２及び図３は図１に示した健康器具の正面図及び側面図である。
【００３２】
図１から図３に示したように、基台２の一縁近傍には、倒立Ｕ字状の基体フレーム部材１の両端部を嵌入させる短寸筒状の２本の嵌合部３，３が、互いに適宜の距離を隔てて立設してある。
【００３３】
嵌合部３，３の両上端近傍の位置にはそれぞれ、使用者の足を担持すべく平面視が短冊状になした担持部５，５の一端部が固定してあり、両担持部５，５は、基台２及び嵌合部３，３から延設した頬杖部材５ａ，５ａにて、担持部５，５が基台２と平行な姿勢になるように支持されている。
【００３４】
なお、本形態では担持部５，５を固定した場合について示したが、本考案はこれに限らず、担持部５，５を揺動可能に取り付け、また頬杖部材５ａ，５ａによる支持を着脱可能に構成することによって、担持部５，５を水平姿勢及び鉛直方向へ垂下した姿勢に変更可能になしてもよい。
【００３５】
図１から図３に示したように、嵌合部３，３には基体フレーム部材１を構成する両脚部１１，１１の端部がそれぞれ嵌入してあり、これによって基体フレーム部材１が基台２上に立設されている。両脚部１１，１１の長手方向の中途位置には、使用者の腕の肘部を含みその近傍部分を支持するための肘受け部６，６が配設してあり、肘受け部６，６は両脚部１１，１１間に昇降可能に架設した帯板状の第１支持部材２１によって互いに離隔接近可能に支持されている。すなわち、肘受け部６，６は、第１支持部材２１に前述した基台２と平行な姿勢で固定された支持アーム２３，２３に、当該支持アーム２３，２３の長手方向へ摺動自在に取り付けられた基部２２（２２）にそれぞれ固定してあり、両基部２２（２２）にそれぞれ設けられた螺子部２４，２４によって、各基部２２（２２）は支持アーム２３，２３の長手方向の任意の位置で各別に固定し得るようになっている。
【００３６】
また、前述した第１支持部材２１にも螺子部２５，２５が両脚部１１，１１に対応してそれぞれ設けてあり、両螺子部２５，２５を操作することによって、第１支持部材２１を脚部１１，１１の任意の高さ位置で固定し得るようになしてある。
【００３７】
なお、本形態では、嵌合部３，３に、基体フレーム部材１を構成する両脚部１１，１１の端部を嵌入させて両脚部１１，１１を基台２上に立設した場合について示したが、本考案はこれに限らず、基台２上に両脚部１１，１１を直接立設するように構成してもよい。この場合、両脚部１１，１１の下端近傍に、前述した担持部５，５及び頬杖部材５ａ，５ａを取り付ける。
【００３８】
ところで、肘受け部６は、半円筒状の部材を側面視が横転Ｌ字状に成形したカバー部６１を具備しており、該カバー部６１の屈曲部には使用者の肘部を嵌入させるための凹部６２が設けてある。また、カバー部６１の内面には、例えばシリコン製ゴムスポンジといったクッション材が貼着してあり、使用者の腕を保護するようになっている。
【００３９】
一方、両脚部１１，１１の前記第１支持部材２１より天井部１２側の位置には、帯状の第２支持部材３２が両脚部１１，１１間に昇降可能に架設してある。第２支持部材３２の裏面側には対応する脚部１１，１１を挿通させる挿通部３３（３３）が突設してあり、各挿通部３３（３３）にそれぞれ設けた螺子部３４（３４）によって第２支持部材３２を両脚部１１，１１の任意の高さ位置に固定し得るようになっている。
【００４０】
第２支持部材３２の正面には、短寸の帯板材を倒立Ｌ字状に成形してなる掛け回し部７，７，７，７が、横長長方形の各頂点の位置になるように固定してある。後述するように、使用者は第２支持部材３２の高さ位置を、前記担持部５，５に上がった状態で第２支持部材３２が自身の胸部の位置になるように調整しておき、両担持部５，５に上がった使用者は図示しないバンドを自身の両肩及び胸部並びに掛け回し部７，７，７，７に、たすき掛けとなるように掛け回すようになっている。
【００４１】
次に本考案に係る健康器具の使用方法について説明する。
【００４２】
図４及び図５は、図２及び図３に示した健康器具の使用態様を説明する説明図である。なお、両図中、図２及び図３に示した部分に対応する部分には同じ番号が付してある。
【００４３】
使用者Ｍは予め、第１支持部材２１の高さ位置、第１支持部材２１に支持された肘受け部６，６間の幅寸法を、前記担持部５，５に上がった状態で肘受け部６，６が自身の両肘の位置になるように調整しておく。同様に、使用者Ｍは第２支持部材３２の高さ位置を、前記担持部５，５に上がった状態で第２支持部材３２が自身の胸部及び背部の位置になるように調整しておく。
【００４４】
次に、図４及び図５に示したように、使用者Ｍは担持部５，５に上がり、細帯状のバンドＢを自身の両肩及び胸部並びに掛け回し部７，７，７，７に、たすき掛けとなるように掛け回し、バンドＢの両端を当該バンドＢに固着させる。このとき、バンドＢは面ファスナで構成すると、バンドＢの両端を当該バンドＢに容易に固着させることができるため好適である。
【００４５】
そして、使用者Ｍは、両肘受け部６，６に自身の両肘部を嵌入させ、担持部５，５から両足を離脱させた後、そのままの状態で適宜時間ぶら下がり、又は、ぶら下がった状態で両脚を前後左右に屈伸させ、或は、ぶら下がった状態で腰を正方向若しくは逆方向へ回動させる、等々の種々のぶら下がり運動動作を行う。
【００４６】
このとき、これらぶら下がり運動動作の主たる起点はいずれも、第２支持部材３２又は掛け回し部７，７，７，７に当接した使用者Ｍの背部であり、使用者Ｍの胸部及び両肩は前述した如くバンドＢのたすき掛けによって第２支持部材３２に固く固定されている。そのため、ぶら下がり運動動作の起点にずれ等が発生せず、初心者であっても種々の運動動作を容易に実施することができる。
【００４７】
また、使用者Ｍの肘受け部６，６に嵌入された前腕及び上腕が、ぶら下がり運動動作の従たる起点となるため、初心者であっても種々の運動動作を更に容易に実施することができる。
【００４８】
一方、第２支持部材３２及び第１支持部材２１の高さ位置、並びに、第１支持部材２１に支持された肘受け部６，６間の幅寸法は、前述した如く容易に調整することができる。なお、前述した両脚部１１，１１、及び両支持アーム２３，２３に目盛りを設けた場合、第２支持部材３２及び第１支持部材２１の高さ位置、並びに、第１支持部材２１に支持された肘受け部６，６間の幅寸法をより正確に調整することができるため好適である。
【００４９】
一方、使用者Ｍの自重は両肘受け部６，６に嵌入させた前腕にて受けるため、使用者Ｍへの負担を可及的に軽減させることができる。一方、肘受け部６，６の屈曲部には前述した凹部６２，６２がそれぞれ設けてあるため、使用者Ｍの肘が肘受け部６，６に圧接することが防止され、使用者Ｍの肘に損傷が発生することが回避される。また、肘受け部６，６の内面にクッション材が設けてあるため、使用者Ｍの肘受け部６，６に嵌入させた腕に痛み又は損傷が発生することを防止することができる。
【００５０】
なお、本形態では、掛け回し部７，７，７，７が使用者の背部に当接するようになしてあるが、本考案はこれに限らず、脚部１１，１１及び第２支持部材３２の幅寸法を相対的に大きくなして、両側に位置する掛け回し部７，７と掛け回し部７，７との間に使用者Ｍの背部が嵌入するようになしてもよい。この場合、使用者Ｍの背部全体が第２支持部材３２に当接するため好適である。
【符号の説明】
【００５１】
１    基体フレーム部材
２    基台
３    嵌合部
５    担持部
５ａ  頬杖部材
６    肘受け部
７    掛け回し部
１１    脚部
２１    第１支持部材
３２    第２支持部材
Ｂ    バンド
Ｍ    使用者
【図１】
0003220692.tif 000003
【図２】
0003220692.tif 000004
【図３】
0003220692.tif 000005
【図４】
0003220692.tif 000006
【図５】
0003220692.tif 000007
【図６】
0003220692.tif 000008